(57)【要約】【課題】運転データを確実に取得するとともに、料金按分データの算出に用いるデータが欠落することなく、さらには、一度料金按分データを算出しても、再度料金按分データを算出し直すことのできる空気調和システム及びその制御方法を提供する。【解決手段】室外機及び複数の室内機を備え、集中管理装置により集中管理を行うとともに、各室内機毎の使用量に応じた使用料金を料金按分データとして算出する空気調和システムにおいて、前記集中管理装置は、所定時間毎に各前記室内機の運転状態に基づく運転データを取得し、取得した前記運転データをデータベースに順次格納し、前記料金按分データを算出する際に、前記データベースから前記料金按分データの算出に用いる前記運転データを抽出して、抽出した前記運転データに基づいて前記料金按分データを算出するようにした。【選択図】図３
2008151443.tif 000002
【特許請求の範囲】
【請求項１】
室外機及び複数の室内機を備え、集中管理装置により集中管理を行うとともに、各室内機毎の使用量に応じた使用料金を料金按分データとして算出する空気調和システムにおいて、
前記集中管理装置は、所定時間毎に各前記室内機の運転状態に基づく運転データを取得し、
取得した前記運転データをデータベースに順次格納し、
前記料金按分データを算出する際に、前記データベースから前記料金按分データの算出に用いる前記運転データを抽出して、抽出した前記運転データに基づいて前記料金按分データを算出することを特徴とする空気調和システム。
【請求項２】
請求項１に記載の空気調和システムにおいて、
前記データベースは、前記集中管理装置で使用可能な独自のファイル形式で生成されており、前記集中管理装置は、前記データベースに格納された前記運転データに基づいて、外部機器で使用可能な汎用のファイル形式で履歴データを生成することを特徴とする空気調和システム。
【請求項３】
請求項２に記載の空気調和システムにおいて、
前記履歴データは、月単位にグループ分けされており、現在の月の前記履歴データには、一日が経過する毎に経過した一日分の日単位の履歴データが順次追加され、月の途中に現在の月の前記履歴データを参照する際に、現在の月の前記履歴データに格納された全ての日単位の履歴データを参照することができることを特徴とする空気調和システム。
【請求項４】
請求項１乃至３のいずれか一項に記載の空気調和システムにおいて、
前記集中管理装置は、前記データベースに格納された前記運転データをバックアップするハードディスクを備えることを特徴とする空気調和システム。
【請求項５】
室外機及び複数の室内機を備え、集中管理装置により集中管理を行うとともに、各室内機毎の使用量に応じた使用料金を料金按分データとして算出する空気調和システムの制御方法において、
所定時間毎に、各前記室内機の運転状態に基づく運転データを取得し、
取得した前記運転データをデータベースに順次格納し、
前記料金按分データを算出する際に、前記データベースから前記料金按分データの算出に用いる前記運転データを抽出して、抽出した前記運転データに基づいて前記料金按分データを算出することを特徴とする空気調和システムの制御方法。
【発明の詳細な説明】
【技術分野】
【０００１】
本発明は、室外機及び複数の室内機を備えた空気調和システムを集中管理装置が集中管理するとともに、この集中管理装置が各室内機毎のエネルギー按分率を算出する空気調和システム及びその制御方法に関する。
【背景技術】
【０００２】
従来、ビル等に設けられる空気調和システムにおいては、室外機と複数の室内機とを有する一または複数の空気調和装置が、一台の集中管理装置により集中管理されるよう構成されたものが知られている。
【０００３】
このような空気調和システムは、テナントビル等のように、複数の使用者が混在する環境に設置されることがある。このような環境では、各使用者の電力使用量に応じた電力使用料金を算出するため、集中管理装置は、各室内機の積算運転時間に基づき、室内機毎に空調按分率を算出し、空気調和システムの電力使用量に空調按分率を乗じて、室内機毎に電力使用量及び電力使用料金を算出できるようにしたものがある（例えば、特許文献１参照）。各使用者の電力使用料金を算出するとき、各室内機を使用した分の電力使用料金が過不足なく計算されて各使用者に提示される必要があり、空調按分率の算出方法は、できるだけ正確かつ公平なものが求められる。
【特許文献１】特開平５−１５７３３６号公報
【発明の開示】
【発明が解決しようとする課題】
【０００４】
上記従来の空気調和システムにおける集中管理装置は、例えば、１５分毎に各室内機の運転状況に基づいて生成された運転データを取得し、各室内機の一日分の運転データを取得すると、取得した一日分の運転データに基づいて料金按分データを算出する日替処理を行うものがあった。
この日替処理は、集中管理装置の演算処理能力を占有してしまうので、日替処理中に室内機から新たな運転データを取得するのは困難であった。また、集中管理装置の記憶容量を節約するために、日替処理する際に運転データを消去するものがあった。このような構成においては、日替処理に失敗すると、その日の元の運転データがすでに消去されてしまうので、その日の日替処理されたデータが欠落してしまうおそれがあった。また、一旦日替処理されると元の運転データは消去されるため、日替処理される前の元の運転データに基づいて料金按分データを再計算することはできなかった。
【０００５】
本発明は、上述した事情に鑑みてなされたものであり、運転データを確実に取得するとともに、料金按分データの算出に用いるデータが欠落することなく、さらには、一度料金按分データを算出しても、再度料金按分データを算出し直すことのできる空気調和システム及びその制御方法を提供することを目的とする。
【課題を解決するための手段】
【０００６】
本発明は、室外機及び複数の室内機を備え、集中管理装置により集中管理を行うとともに、各室内機毎の使用量に応じた使用料金を料金按分データとして算出する空気調和システムにおいて、前記集中管理装置は、所定時間毎に各前記室内機の運転状態に基づく運転データを取得し、取得した前記運転データをデータベースに順次格納し、前記料金按分データを算出する際に、前記データベースから前記料金按分データの算出に用いる前記運転データを抽出して、抽出した前記運転データに基づいて前記料金按分データを算出することを特徴とする。
【０００７】
この場合において、前記データベースは、前記集中管理装置で使用可能な独自のファイル形式で生成されており、前記集中管理装置は、前記データベースに格納された前記運転データに基づいて、外部機器で使用可能な汎用のファイル形式で履歴データを生成してもよい。前記履歴データは、月単位にグループ分けされており、現在の月の前記履歴データには、一日が経過する毎に経過した一日分の日単位の履歴データが順次追加され、月の途中に現在の月の前記履歴データを参照する際に、現在の月の前記履歴データに格納された全ての日単位の履歴データを参照することができてもよい。前記集中管理装置は、前記データベースに格納された前記運転データをバックアップするハードディスクを備えてもよい。
【０００８】
また、本発明は、室外機及び複数の室内機を備え、集中管理装置により集中管理を行うとともに、各室内機毎の使用量に応じた使用料金を料金按分データとして算出する空気調和システムの制御方法において、所定時間毎に、各前記室内機の運転状態に基づく運転データを取得し、取得した前記運転データをデータベースに順次格納し、前記料金按分データを算出する際に、前記データベースから前記料金按分データの算出に用いる前記運転データを抽出して、抽出した前記運転データに基づいて前記料金按分データを算出することを特徴とする。
【発明の効果】
【０００９】
本発明によれば、室内機の運転データを取得する毎に順次データベースに格納し、料金按分データを算出する際には、データベースから運転データを抽出して料金按分データを算出することにより、日替処理を行わないため、運転データを確実に取得するとともに、料金按分データの算出に用いるデータが欠落することなく、さらには、一度料金按分データを算出しても、再度料金按分データを算出し直すことができる。
【発明を実施するための最良の形態】
【００１０】
次に本発明の好適な実施の形態について図面を参照して説明する。
［１］第１実施形態
図１は、実施形態の空気調和システムの系統図である。
空気調和システム１０は、第１冷媒系統を構成する第１空気調和装置１１及び第２冷媒系統を構成する第２空気調和装置１２が、第１通信アダプタ２１を介して集中的に空気調和装置を管理・制御する集中管理装置１５に接続されている。また、第３冷媒系統を構成する第３空気調和装置１３が、第２通信アダプタ２２を介して集中管理装置１５に接続されている。これにより、空気調和システム１０は、集中管理装置１５により、各空気調和装置１１，１２，１３が集中的に管理されている。
第１空気調和装置１１は、室外機１６Ａに、例えば、３台の室内機１７Ａ，１８Ａ，１９Ａが、冷媒配管によって連結されたマルチタイプの空気調和装置である。第２空気調和装置１２は、室外機１６Ｂに、例えば、３台の室内機１７Ｂ，１８Ｂ，１９Ｂが、冷媒配管によって連結されたマルチタイプの空気調和装置である。第３空気調和装置１３は、室外機１６Ｃに、例えば、３台の室内機１７Ｃ，１８Ｃ，１９Ｃが、冷媒配管によって接続されたマルチタイプの空気調和装置である。
【００１１】
第１通信アダプタ２１は、室内外通信線２３を介して、第１空気調和装置１１の室外機１６Ａ、室内機１７Ａ，１８Ａ，１９Ａ、並びに、第２空気調和装置１２の室外機１６Ｂ、室内機１７Ｂ，１８Ｂ，１９Ｂに接続されている。これにより、第１通信アダプタ２１、第１空気調和装置１１の室外機１６Ａ、室内機１７Ａ，１８Ａ，１９Ａ、並びに、第２空気調和装置１２の室外機１６Ｂ、室内機１７Ｂ，１８Ｂ，１９Ｂの間で、空調動作に用いられる空調制御用信号を送受信できるようになっている。
また、第２通信アダプタ２２は、室内外通信線２４を介して、第３空気調和装置１３の室外機１６Ｃ、室内機１７Ｃ，１８Ｃ，１９Ｃに接続されている。これにより、第２通信アダプタ２２、第３空気調和装置１３の室外機１６Ｃ、室内機１７Ｃ，１８Ｃ，１９Ｃの間で、空調動作に用いられる空調制御用信号を送受信できるようになっている。
これら第１通信アダプタ２１及び第２通信アダプタ２２は、集中管理通信線２０、室内外通信線２３及び室内外通信線２４を介して送受信される信号の通信形態を相互に変換する機器である。
【００１２】
第１空気調和装置１１、第２空気調和装置１２及び第３空気調和装置１３の室内機１７Ａ〜１７Ｃ，１８Ａ〜１８Ｃ，１９Ａ〜１９Ｃのそれぞれには、図示せぬリモートコントローラが必要に応じて接続されることとなる。そして、リモートコントローラを接続した場合には、室内機１７Ａ〜１７Ｃ，１８Ａ〜１８Ｃ，１９Ａ〜１９Ｃは、このリモートコントローラの手動操作によって、運転や停止、設定温度の変更、冷房や暖房などの運転モードが切り換えられることとなる。
【００１３】
集中管理装置１５は、集中管理通信線２０を介して、第１通信アダプタ２１及び第２通信アダプタ２２に接続されている。これにより、集中管理装置１５は、第１通信アダプタ２１を介して第１空気調和装置１１及び第２空気調和装置１２へ、また、第２通信アダプタ２２を介して第３空気調和装置１３へそれぞれ集中管理信号を送受信できるようになっている。集中管理装置１５は、第１空気調和装置１１及び第２空気調和装置１２から第１通信アダプタ２１を介して、また、第３空気調和装置１３から第２通信アダプタ２２を介して、各室内機１７Ａ〜１７Ｃ，１８Ａ〜１８Ｃ，１９Ａ〜１９Ｃの運転状態に基づく運転データ等を取得することができる。集中管理装置１５は、各種データを格納する記憶部である内蔵ＨＤＤ（内蔵ハードディスク）２５と、この内蔵ＨＤＤ２５の副記憶部として、集中管理装置１５の接続部２６に接続された外部ＨＤＤ（外部ハードディスク）２７とを備えており、この内蔵ＨＤＤ２５に格納されたデータベースに、取得した運転データを順次格納するものとなっている。そして、内蔵ＨＤＤ２５のデータベースに格納された運転データは、所定時間毎に、ＣＳＶ形式に変換され、内蔵ＨＤＤ２５、または、外部ＨＤＤ２７のいずれか指定されたハードディスクへ転送され、記憶されるものとなっている。なお、外部ＨＤＤ２７は、汎用の外付けハードディスクが用いられるものとなっている。
【００１４】
集中管理装置１５は、第１通信アダプタ２１を介し第１空気調和装置１１及び第２空気調和装置１２を集中管理するとともに、この第１空気調和装置１１及び第２空気調和装置１２の状態を監視し、また、第２通信アダプタ２２を介し第３空気調和装置１３を集中管理するとともに、この第３空気調和装置１３の状態を監視する。
集中管理装置１５は、第１空気調和装置１１、第２空気調和装置１２及び第３空気調和装置１３の集中制御機能及び状態監視機能の他、第１空気調和装置１１、第２空気調和装置１２、第３空気調和装置１３の各室内機１７Ａ〜１７Ｃ，１８Ａ〜１８Ｃ，１９Ａ〜１９Ｃ毎の使用エネルギー按分率としての電力按分率及びこの電力按分率に基づく各室内機１７Ａ〜１７Ｃ，１８Ａ〜１８Ｃ，１９Ａ〜１９Ｃのエネルギー使用量としての電力使用量を算出する機能を有している。
【００１５】
次に、通信アダプタ２１，２２によるデータ取得処理及び集中管理装置１５への出力処理について図２のフローチャートを参照して説明する。
本実施形態の集中管理装置１５は、室内機１７Ａ〜１７Ｃ，１８Ａ〜１８Ｃ，１９Ａ〜１９Ｃ、室外機１６Ａ〜１６Ｃ、第１通信アダプタ２１、第２通信アダプタ２２と協働して運転データ等を取得している。
通信アダプタ２１，２２は、先ず、各室内機１７Ａ〜１７Ｃ，１８Ａ〜１８Ｃ，１９Ａ〜１９Ｃから、送風ファンの風速、サーモＯＮ（オン）／ＯＦＦ（オフ）、熱交換器入口温度、中間温度、出口温度及びファンの実風速等の運転情報を取得する（ステップＳ１）。
【００１６】
各室内機１７Ａ〜１７Ｃ，１８Ａ〜１８Ｃ，１９Ａ〜１９Ｃの運転情報を取得すると、通信アダプタ２１、２２は、各室外機１６Ａ〜１６Ｃから、運転電力量及び高圧飽和温度等の運転情報を取得する（ステップＳ２）。
【００１７】
各室外機１６Ａ〜１６Ｃの運転情報を取得すると、通信アダプタ２１，２２は、集中管理装置１５に、取得した運転情報を出力する出力タイミングに至ったか否かを判断する（ステップＳ３）。ここで、本実施形態では、出力タイミングを、例えば、１５分間隔としており、取得した運転情報を１５分毎に集中管理装置１５に出力するようになっている。
この判断の結果、取得した運転情報を出力する出力タイミングが至っていない場合には（ステップＳ３：ＮＯ）、通信アダプタ２１，２２は、出力タイミングが経過するまでステップＳ１の処理から一連の処理を繰り返す。
【００１８】
一方、上記ステップＳ３の判断の結果、取得した運転情報を出力する出力タイミングに至った場合には（ステップＳ３：ＹＥＳ）、通信アダプタ２１，２２は、取得した運転情報のうち、送風ファンの風速、サーモＯＮ／ＯＦＦ、運転電力量（あるいは省エネ運転電力量）をそのまま集中管理装置１５に運転データとして出力する。このとき、通信アダプタ２１、２２は、熱交換器入口温度、中間温度、出口温度および高圧飽和温度に基づいて過熱度および過冷却度を算出する。さらに通信アダプタ２１、２２は、ファンの実風速に基づいて風速換算値を算出する。さらにまた、通信アダプタ２１、２２は、算出した過熱度および過冷却度に基づいて運転能力比率を算出する。続いて通信アダプタ２１、２２は、各室内機１７Ａ〜１７Ｃ，１８Ａ〜１８Ｃ，１９Ａ〜１９Ｃの風速換算値および運転能力比率に基づいて各室内機１７Ａ〜１７Ｃ，１８Ａ〜１８Ｃ，１９Ａ〜１９Ｃの運転能力量を算出する。
通信アダプタ２１、２２は、上記各処理と並行して、電力パルスメータからの電力パルスをカウントし、集中管理装置１５に出力する（ステップＳ４）。
【００１９】
次に、集中管理装置１５によるデータ取得処理について図３のフローチャートを参照して説明する。
集中管理装置１５は、先ず、通信アダプタ２１，２２から運転データを取得したか否かを判断する（ステップＳ１１）。
この判断の結果、通信アダプタ２１，２２から運転データを取得していない場合には（ステップＳ１１：ＮＯ）、運転データを取得するまでステップＳ１１の処理を繰り返す。
【００２０】
一方、上記ステップＳ１１の判断の結果、通信アダプタ２１，２２から運転データを取得した場合には（ステップＳ１１：ＹＥＳ）、集中管理装置１５は、取得した運転データを内蔵ＨＤＤ２５のデータベースに格納する（ステップＳ１２）。
【００２１】
そして、集中管理装置１５は、運転データのＣＳＶ形式への形式変換タイミングである所定の時刻に至ったか否か（例えば、日付が変わる午前０時に至ったか否か）を判断する（ステップＳ１３）。
この判断の結果、運転データの形式変換タイミングに至っていない場合には（ステップＳ１３：ＮＯ）、集中管理装置１５は、ステップＳ１１の処理から一連の処理を繰り返す。
【００２２】
一方、上記ステップＳ１３の判断の結果、形式変換タイミングに至った場合には（ステップＳ１３：ＹＥＳ）、集中管理装置１５は、運転データからＣＳＶ形式の履歴データを生成し、生成した履歴データをＨＤＤ２５に格納する（ステップＳ１４）。このとき、日単位で生成した履歴データは、月単位にグループ分けされて月単位の履歴データとして格納される。
履歴データをＨＤＤ２５に格納すると、集中管理装置１５は、データベースのバックアップのタイミングに至ったか否かを判断する（ステップＳ１５）。ここで、本実施形態では、データベースのバックアップのタイミングを１年毎としている。
この判断の結果、データベースのバックアップのタイミングに至っていない場合には（ステップＳ１５：ＮＯ）、集中管理装置１５は、ステップＳ１１の処理から一連の処理を繰り返す。
【００２３】
一方、上記ステップＳ１５の判断の結果、データベースのバックアップのタイミングに至った場合には（ステップＳ１５：ＹＥＳ）、集中管理装置１５は、ＨＤＤ２５にデータベースのバックアップを格納する（ステップＳ１６）。
【００２４】
ＨＤＤ２５にデータベースのバックアップを格納すると、集中管理装置１５は、データベースからＣＳＶ形式のデータベース履歴データを生成し、生成したデータベース履歴データをＨＤＤ２５に格納する（ステップＳ１７）。
【００２５】
データベース履歴データをＨＤＤ２５に格納すると、集中管理装置１５は、内蔵ＨＤＤ２５に格納されたデータベースのうち、保存期間（１年間）以上を経過したデータ（詳細には、うるう年を考慮して、３６７日以上経過したデータ）を削除する（ステップＳ１８）。記憶部に格納されたデータベースを初期化すると、集中管理装置１５は、ステップＳ１の処理に戻る。
【００２６】
以上の処理により、集中管理装置１５は、取得した各室内機１７Ａ〜１７Ｃ，１８Ａ〜１８Ｃ，１９Ａ〜１９Ｃの運転データを、１５分毎に記憶部のデータベースに順次格納する。また、集中管理装置１５は、１年毎にデータベースのバックアップをＨＤＤ２５に格納するとともに、運転データからＣＳＶ形式のデータベース履歴データを生成し、生成したデータベース履歴データをＨＤＤ２５に格納してから、記憶部に格納されたデータベースを消去する。
【００２７】
集中管理装置１５は、汎用性の高いＣＳＶ形式の履歴データをＨＤＤ２５に格納していることにより、各室内機１７Ａ〜１７Ｃ，１８Ａ〜１８Ｃ，１９Ａ〜１９Ｃの送風ファンの風速及びサーモＯＮ／ＯＦＦ等の運転データに基づく情報を、例えば、表計算ソフトで表示したり、表示結果に対して再計算等の編集を行ったり、所望の情報を検索したり、他のメディアに保存したりすることが容易に行える。日単位で取得された履歴データは、月単位の履歴データにグループ分けして格納されており、現在の月に対応する月単位の履歴データには、一日が経過する毎に経過した一日分の日単位の履歴データが順次追加して格納される。ここで、月単位の履歴データは、月の途中に現在の月の履歴データを参照する際に、現在の月の履歴データに格納された全ての日単位の履歴データを参照可能に設けられている。履歴データは、テキストデータにより構成されるＣＳＶ形式であるため、バイナリ形式の運転データと違ってデータ容量が小さいため、ＨＤＤ２５には、長期間の履歴データを保管することができる。
【００２８】
次に、集中管理装置１５による料金按分データの算出処理について説明する。
先ず、集中管理装置１５は、記憶部のデータベースに格納されたデータベースから、室内機ｉ（ｉ＝１〜ｎ）毎に、送風ファンの風速、サーモＯＮ／ＯＦＦ及び室内定格能力を抽出する。ここで、室内定格能力は、室内機ｉ毎の定格能力が格納されており、この定格能力は、各室内機が起動する毎に集中管理装置１５に出力される。
集中管理装置１５は、送風ファンの風速及びサーモＯＮ／ＯＦＦに基づいて、室内機ｉ毎の、急風、強風、弱風の各風速別にサーモＯＮ運転された時間をサーモＯＮ累積運転時間として算出する。これにより、集中管理装置１５は、室内機ｉの急風サーモＯＮ累積運転時間ＳＨＨｉ、強風サーモＯＮ累積運転時間ＳＨｉ及び弱風サーモＯＮ累積運転時間ＳＬｉを算出する。
また、集中管理装置１５は、室内定格能力から、各室内機ｉの定格能力、すなわち、能力（ｋＷ（キロワット）相当値）ＰＳｉを算出する。
【００２９】
次に、集中管理装置１５は、以下の式に基づいて、室内機ｉの便宜的な電力消費指数ＴＥｉを算出し、
ＴＥｉ＝（ＳＨＨｉ×αＨＨ＋ＳＨｉ×αＨ＋ＳＬｉ）×ＰＳｉ
となる。
ここで、αＨＨは急風の風速重み付け係数、αＨは強風の風速重み付け係数、αＬは弱風の風速重み付け係数であり、例えば０．５０〜１．００の範囲で、風速毎に予め設定される。
【００３０】
各室内機ｉの電力消費指数ＴＥｉを算出すると、集中管理装置１５は、各室内機ｉの電力消費指数ＴＥｉの総和によって、空気調和システム全体の室内機（ｍ台）の電力消費指数ＴＯＴＡＬｅを算出し、
ＴＯＴＡＬｅ＝ＴＥ１＋ＴＥ２＋・・・＋ＴＥｍ
となる。
【００３１】
これにより、各室内機ｉの電力消費按分率ＲＥｉ（％（パーセント））は、
ＲＥｉ（％）＝ＴＥｉ÷ＴＯＴＡＬｅ×１００
となる。
【００３２】
室内機ｉがグループ分けされている場合のグループ単位の電力按分率ＮＥｊ（％）は、グループｊに所属する各室内機の電力消費按分率ＲＥｉの総和から求められる。
【００３３】
グループ単位の電力按分率ＮＥｊが算出されると、集中管理装置１５は、算出した電力按分率ＮＥに通信アダプタ２１，２２から受信した電力パルスを積算したパルス積算値Ｐｅ１，Ｐｅ２の和から、グループ単位の電力使用量ＭＥ（ｋＷｈ（キロワットアワー））を算出する。例えば、グループｊの電力使用量ＭＥｊは、
ＭＥｊ（ｋＷｈ）＝（Ｐｅ１＋Ｐｅ２）×ＮＥｊ
となり、料金按分データが算出される。
【００３４】
本実施形態によると、集中管理装置１５が、取得した運転データを記憶部のデータベースに順次格納しており、料金按分データの算出が要求された際に、データベースから抽出した運転データに基づいて料金按分データを算出する。これにより、取得した一日分の運転データに基づいて料金按分データを算出する日替処理が不要である。このため、運転データを確実に取得するとともに、料金按分データの算出に用いるデータが欠落することなく、さらには、一度料金按分データを算出しても、再度料金按分データを算出し直すことができる。
【００３５】
また、本実施形態によると、集中管理装置１５は、記憶部のデータベースに格納された運転データに基づいて、ＣＳＶ形式による履歴データやデータベース履歴データを生成する。これにより、各室内機１７Ａ〜１７Ｃ，１８Ａ〜１８Ｃ，１９Ａ〜１９Ｃの風速別のサーモＯＮ累積運転時間及び風速別のサーモＯＦＦ累積運転時間等の集中管理装置１５で使用可能な非汎用のファイル形式で生成された運転データを、パソコン等の外部の汎用機器で使用可能な汎用のファイル形式で履歴データが生成される。このため、運転データに基づく情報を、例えば、表計算ソフトで表示したり、表示結果に対して再計算等の編集を行ったり、所望の情報を検索したり、他のメディアに保存したりすることができる。
このとき、日単位で取得された履歴データは、月単位の履歴データに格納されており、実際の月に対応する月単位の履歴データには、集中管理装置１５が履歴データを取得する毎に、取得した履歴データが順次追加して格納される。このため、月単位の履歴データは、実際の日が月の途中にある場合には、実際の日までに取得した履歴データを確認することができる。
【００３６】
さらに、本実施形態によると、書き込み速度の速い内蔵ＨＤＤにデータベースのバックアップを格納する。これにより、集中管理装置１５の演算処理能力やサーバ等をバックアップ処理に占有する時間を短縮することができるので、演算処理能力の不足等による他のプログラムへの影響が少ない。また、運転データが順次格納される集中管理装置１５の内蔵ＨＤＤ２５とは別個の外部ＨＤＤ２７を接続して、所定時間毎に、この外部ＨＤＤ２７へも運転データを転送可能としているため、通信アダプタ２１，２２から送信される運転データの格納処理にあまり影響を与えることなく、運転データを外部ＨＤＤ２７へも格納することができる。
【００３７】
［２］第２実施形態
以上の第１実施形態の説明では、空気調和システムにおいて、使用されるエネルギーが電力の場合を述べたが、本第２実施形態は、ガスヒートポンプ（ＧＨＰ）式空気調和装置のように、ガスと電力とを使用する場合の実施形態である。
空気調和システムの構成については、第１実施形態と同様のであり、通信アダプタ２１，２２は、ガスパルスメータからのガスパルスを集中管理装置１５に出力するように設けられている。以下、空気調和システム１０にガスヒートポンプ式空気調和装置が含まれる場合の、集中管理装置１５による料金按分データの算出処理について説明する。
【００３８】
先ず、集中管理装置１５は、記憶部のデータベースに格納されたデータベースから、室内機ｉ（ｉ＝１〜ｎ）毎に、送風ファンの風速、サーモＯＮ／ＯＦＦ及び室内定格能力を抽出する。ここで、室内定格能力は、室内機ｉ毎の定格能力が格納されており、この定格能力は、各室内機が起動する毎に集中管理装置１５に出力される。
集中管理装置１５は、送風ファンの風速及びサーモＯＮ／ＯＦＦに基づいて、室内機ｉ毎の、急風、強風、弱風の各風速別にサーモＯＮ運転された時間をサーモＯＮ累積運転時間として算出する。これにより、集中管理装置１５は、室内機ｉの急風サーモＯＮ累積運転時間ＳＨＨｉ、強風サーモＯＮ累積運転時間ＳＨｉ及び弱風サーモＯＮ累積運転時間ＳＬｉを算出する。
【００３９】
また、集中管理装置１５は、各室内機ｉの風速別のサーモＯＦＦ累積運転時間を風速別のサーモＯＮ累積運転時間と同様に積算し、風速別のサーモＯＮ累積運転時間との和を算出することにより、室内機ｉの急風累積運転時間ＲＨＨｉ、強風累積運転時間ＲＨｉ及び弱風累積運転時間ＲＬｉを算出する。
また、集中管理装置１５は、室内定格能力から、各室内機ｉの定格能力、すなわち、能力（ｋＷ（キロワット）相当値）ＰＳｉを算出する。
【００４０】
次に、集中管理装置１５は、以下の式に基づいて、室内機ｉの便宜的な電力消費指数ＴＥｉを算出し、
ＴＥｉ＝（ＲＨＨｉ×αＨＨ＋ＲＨｉ×αＨ＋ＲＬｉ）×ＰＳｉ
となる。
また、集中管理装置１５は、以下の式に基づいて、室内機ｉの便宜的な室外エネルギー消費指数ＴＧｉを算出し、
ＴＧｉ＝（ＳＨＨｉ×αＨＨ＋ＳＨｉ×αＨ＋ＳＬｉ）×ＰＳｉ
となる。
ここで、αＨＨは急風の風速重み付け係数、αＨは強風の風速重み付け係数、αＬは弱風の風速重み付け係数であり、例えば０．５０〜１．００の範囲で、風速毎に予め設定される。
【００４１】
各室内機ｉの電力消費指数ＴＥｉ及び室外エネルギー消費指数ＴＧｉを算出すると、集中管理装置１５は、各室内機ｉの電力消費指数ＴＥｉの総和によって、空気調和システム全体の室内機（ｍ台）の電力消費指数ＴＯＴＡＬｅを算出するとともに、各室内機ｉの室外エネルギー消費指数ＴＧｉの総和によって、空気調和システム全体の室内機（ｍ台）のガス消費指数ＴＯＴＡＬｇを算出し、
ＴＯＴＡＬｅ＝ＴＥ１＋ＴＥ２＋・・・＋ＴＥｍ
ＴＯＴＡＬｇ＝ＴＧ１＋ＴＧ２＋・・・＋ＴＧｍ
となる。
【００４２】
これにより、各室内機ｉの電力消費按分率ＲＥｉ（％（パーセント））は、
ＲＥｉ（％）＝ＴＥｉ÷ＴＯＴＡＬｅ×１００
となる。
また、各室内機ｉのガス消費按分率ＲＧｉ（％（パーセント））は、
ＲＧｉ（％）＝ＴＧｉ÷ＴＯＴＡＬｇ×１００
となる。
【００４３】
室内機ｉがグループ分けされている場合、グループ単位の電力按分率ＮＥｊ（％）及びガス按分率ＮＧｊ（％）は、グループｊに所属する各室内機の電力消費按分率ＲＥｉの総和及びガス消費按分率ＲＧｉの総和から求められる。
【００４４】
グループ単位の電力按分率ＮＥｊが算出されると、集中管理装置１５は、算出した電力按分率ＮＥに通信アダプタ２１，２２から受信した電力パルスを積算したパルス積算値Ｐｅ１，Ｐｅ２の和から、グループ単位の電力使用量ＭＥｊ（ｋＷｈ（キロワットアワー））を算出する。例えば、グループｊの電力使用量ＭＥｊは、
ＭＥｊ（ｋＷｈ）＝（Ｐｅ１＋Ｐｅ２）×ＮＥｊ
となる。
【００４５】
また、算出したガス按分率ＮＧｊに通信アダプタ２１，２２から受信したガスパルスの総和からパルス積算値Ｐｇを積算することによって、グループ単位のガス使用量ＭＧｊ（ｍ3（立方メートル））が算出される。例えば、グループｊのガス使用量ＭＧｊは、
ＭＧｊ（ｍ3）＝Ｐｇ×ＮＧｊ
となり、電力使用量ＭＥｊとガス使用量ＭＧｊとにより料金按分データが算出される。
【００４６】
本実施形態によると、集中管理装置１５が、取得した運転データを記憶部のデータベースに順次格納しており、料金按分データの算出が要求された際に、データベースから抽出した運転データに基づいて料金按分データを算出する。これにより、取得した一日分の運転データに基づいて料金按分データを算出する日替処理が不要である。このため、運転データを確実に取得するとともに、料金按分データの算出に用いるデータが欠落することなく、さらには、一度料金按分データを算出しても、再度料金按分データを算出し直すことができる。
【００４７】
また、本実施形態によると、集中管理装置１５は、記憶部のデータベースに格納された運転データに基づいて、ＣＳＶ形式による履歴データやデータベース履歴データを生成する。これにより、各室内機１７Ａ〜１７Ｃ，１８Ａ〜１８Ｃ，１９Ａ〜１９Ｃの風速別のサーモＯＮ累積運転時間及び風速別のサーモＯＦＦ累積運転時間等の集中管理装置１５で使用可能な非汎用のファイル形式で生成された運転データを、パソコン等の外部の汎用機器で使用可能な汎用のファイル形式で履歴データが生成される。このため、運転データに基づく情報を、例えば、表計算ソフトで表示したり、表示結果に対して再計算等の編集を行ったり、所望の情報を検索したり、他のメディアに保存したりすることができる。
このとき、日単位で取得された履歴データは、月単位の履歴データに格納されており、実際の月に対応する月単位の履歴データには、集中管理装置１５が履歴データを取得する毎に、取得した履歴データが順次追加して格納される。このため、月単位の履歴データは、実際の日が月の途中にある場合には、実際の日までに取得した履歴データを確認することができる。
【００４８】
さらに、本実施形態によると、書き込み速度の速い内蔵ＨＤＤにデータベースのバックアップを格納する。これにより、集中管理装置１５の演算処理能力やサーバ等をバックアップ処理に占有する時間を短縮することができるので、演算処理能力の不足等による他のプログラムへの影響が少ない。また、運転データが順次格納される集中管理装置１５の内蔵ＨＤＤ２５とは別個の外部ＨＤＤ２７を接続して、所定時間毎に、この外部ＨＤＤ２７へも運転データを転送可能としているため、通信アダプタ２１，２２から送信される運転データの格納処理にあまり影響を与えることなく、運転データを外部ＨＤＤ２７へも格納することができる。
【００４９】
以上、実施形態に基づいて本発明を説明したが、本発明は、これに限定されるものではない。例えば、上記実施形態では、バックアップや履歴データの生成を１日毎に行っているが、これに限定されず、バックアップや履歴データを生成する時間的間隔は任意である。
【００５０】
また、上記実施形態では、空気調和システム１０は、２台の通信アダプタ２１，２２、３台の室外機１６Ａ〜１６Ｃ、及び、９台の室内機１７Ａ〜１７Ｃ，１８Ａ〜１８Ｃ，１９Ａ〜１９Ｃを備えているが、これに限定されず、通信アダプタ、室外機及び室内機の台数は任意である。
【００５１】
さらに、上記実施形態では、履歴データをＣＳＶ形式で生成しているが、これに限定されず、デリミタにより表記されてパソコン等の外部の汎用機器で使用可能なテキストファイルで生成されていれば、ＣＳＶ形式以外のその他のテキストファイルであってもよい。
【００５２】
さらにまた、上記実施形態では、集中管理装置１５は、通信アダプタ２１，２２から運転データを取得する度に、取得した運転データをデータベースに格納しているが、これに限定されず、通信アダプタから運転データを常時取得し、集中管理装置がタイミングをカウントして定期的（例えば、１５分毎）に運転データをデータベースに格納したり、あるいは、運転データを常時データベースに格納したりしてもよい。
【図面の簡単な説明】
【００５３】
【図１】実施形態の空気調和システムの系統図である。
【図２】通信アダプタによるデータ取得処理及び出力処理を示すフローチャートである。
【図３】集中管理装置によるデータ取得処理を示すフローチャートである。
【符号の説明】
【００５４】
１０  空気調和システム
１５  集中管理装置
１６Ａ，１６Ｂ  室外機
１７Ａ〜１７Ｃ  室内機
１８Ａ〜１８Ｃ  室内機
１９Ａ〜１９Ｃ  室内機
２５  ＨＤＤ（ハードディスク）
【図１】
2008151443.tif 000003
【図２】
2008151443.tif 000004
【図３】
2008151443.tif 000005